(57)【要約】【課題】  有効成分が均一に分布し，しかも分散性に優れる吸入用パウダーの製造方法を提供する。【解決手段】  本発明は，第１の有効成分と担体を粉砕媒体の存在下に撹拌し，第１の有効成分を解砕しつつ，担体と混合することで担体及び第１の有効成分の混合物を得る第１の混合工程と，第１の混合工程で得られた混合物に，微粒粉体を添加し，粉砕媒体の存在下に撹拌混合する第２の混合工程と，を含む，吸入用パウダーの製造方法に関する。【選択図】図１
2014104068.tif 000002
【特許請求の範囲】
【請求項１】
第１の有効成分であるマクロライド系化合物，マクロライド系化合物の薬学的に許容される塩，又はマクロライド系化合物の薬学的に許容される溶媒和物と担体を粉砕媒体の存在下に撹拌し，第１の有効成分を解砕しつつ，担体と混合することで担体及び第１の有効成分の混合物を得る第１の混合工程と，
第１の混合工程で得られた混合物に，微粒粉体を添加し，粉砕媒体の存在下に撹拌混合する第２の混合工程と，
を含む，
吸入用パウダーの製造方法。
【請求項２】
請求項１に記載の吸入用パウダーの製造方法であって，
前記第１の混合工程は，前記第１の有効成分と異なる第２の有効成分をさらに含む,
吸入用パウダーの製造方法。
【請求項３】
請求項１に記載の吸入用パウダーの製造方法であって，
前記第２の混合工程は，前記第１の有効成分と異なる第２の有効成分をさらに含む,
吸入用パウダーの製造方法。
【請求項４】
請求項２又は３に記載の吸入用パウダーの製造方法であって，
前記第１の有効成分は，前記第２の有効成分に比べて自己凝集性が高い，吸入用パウダーの製造方法。
【請求項５】
請求項１に記載の吸入用パウダーの製造方法であって，
前記微粒粉体の平均粒径は，前記担体の平均粒径の１／５０以上１／５以下である，吸入用パウダーの製造方法。
【請求項６】
請求項５に記載の吸入用パウダーの製造方法であって，
前記担体及び前記微粒粉体の組成は同一でも異なってもよく，糖類又は糖アルコールである，吸入用パウダーの製造方法。
【請求項７】
請求項１に記載の吸入用パウダーの製造方法であって，
前記粉砕媒体は，ビーズである，吸入用パウダーの製造方法。
【請求項８】
前記第１の混合工程は，ステアリン酸エリストマイシンンよりも凝集性の高い有効成分である高凝集性有効成分をさらに含んだ状態で，粉砕媒体の存在下に撹拌し，第１の有効成分及び高凝集性有効成分を解砕しつつ，担体と混合することで担体，第１の有効成分及び高凝集性有効成分の混合物得る工程である，
吸入用パウダーの製造方法。
【請求項９】
ステアリン酸エリストマイシンンよりも凝集性の高い有効成分である高凝集性有効成分と担体を粉砕媒体の存在下に撹拌し，高凝集性有効成分を解砕しつつ，担体と混合することで担体及び高凝集性有効成分の混合物を得る第１の混合工程と，
第１の混合工程で得られた混合物に，第１の有効成分であるマクロライド系化合物，マクロライド系化合物の薬学的に許容される塩，又はマクロライド系化合物の薬学的に許容される溶媒和物と微粒粉体を添加し，粉砕媒体の存在下に撹拌混合する第２の混合工程と，
を含む，
吸入用パウダーの製造方法。
【請求項１０】
ステアリン酸エリストマイシンンよりも凝集性の高い有効成分である高凝集性有効成分と担体を粉砕媒体の存在下に撹拌し，高凝集性有効成分を解砕しつつ，担体と混合することで担体及び高凝集性有効成分の混合物を得る第１の混合工程と，
第１の混合工程で得られた混合物に，第１の有効成分であるマクロライド系化合物，マクロライド系化合物の薬学的に許容される塩，又はマクロライド系化合物の薬学的に許容される溶媒和物を添加し，粉砕媒体の存在下に撹拌混合する第２の混合工程と，
前記第２の混合工程で得られた混合物に，微粒粉体を添加し，粉砕媒体の存在下に撹拌混合する第３の混合工程と，
を含む，
吸入用パウダーの製造方法。
【請求項１１】
請求項１，９又は１０に記載の吸入用パウダーの製造方法を用いたびまん性汎細気管支炎の治療剤の製造方法。
【請求項１２】
請求項１，９又は１０に記載の吸入用パウダーの製造方法を用いた気管閉塞性障害治療剤の製造方法。
【発明の詳細な説明】
【技術分野】
【０００１】
本発明は，吸入用パウダーの製造方法に関する。より詳しく説明すると,本発明は,吸入用パウダーを製造するに当たり,凝集性の高い有効成分と担体とを撹拌混合した後に,微粒粉体を混合撹拌することで,有効成分の凝集を抑圧し,均一に有効成分を分布でき，分散性に優れた吸入用パウダーを得ることができるというものである。
【背景技術】
【０００２】
特表２０１０−５３３６９７号公報（特許文献１）には，ドライパウダー薬剤及びその製造方法が開示されている。この製造方法は，複数種類の有効成分の粉末を分画した後に，キャリアと混合し，キャリアが混合された複数種類の有効成分をさらにブレンドするものである（特許文献１の段落［００２１］，図１）。
【０００３】
特表２００６−５１５８３０号公報（特許文献２）には，乾燥粉末吸入組成物の製造方法が開示されている。この方法は,担体と第１粒状吸入医薬成分を混合し，その後に第２粒状吸入医薬成分を混合することで乾燥粉末吸入組成物を製造する。なお，特許文献２では，サルメテロールが第２粒状吸入医薬成分とされている。
【０００４】
特表２００４−５０７３４３号公報（特許文献３）には，微粉砕粒子が開示されている。  特許文献３には，固体基材と複数の小粒状物を混合しつつビーズを用いて粉砕する方法が開示されている。
【０００５】
特表２００９−５１９９７２号公報（特許文献４）には,粒子べースの経肺投与または経鼻投与用製薬の製造方法が開示されている。この方法は，製剤の粒子と賦形剤微粒子材料を混合し，混合物をボールミルにより粉砕することで薬剤を製造する。
【０００６】
例えば，特許４６１３３６６号公報（特許文献５）に開示されるとおり，マクロライド系化合物は，喘息，成人呼吸窮迫症候群，慢性閉塞性肺疾患，炎症性腸疾患，クローン病，びまん性汎細気管支炎（DPB）及び気管支炎といった疾患の理療に有効である。
【先行技術文献】
【特許文献】
【０００７】
【特許文献１】特表２０１０−５３３６９７号公報
【特許文献２】特表２００６−５１５８３０号公報
【特許文献３】特表２００４−５０７３４３号公報
【特許文献４】特表２００９−５１９９７２号公報
【特許文献５】特許４６１３３６６号公報
【発明の概要】
【発明が解決しようとする課題】
【０００８】
上記特許文献１〜５に開示された方法に基づいて乾燥粉末吸入組成物を製造すると，有効成分の分布に偏りが生じ，得られた組成物は分散性に優れないという問題があった。
【０００９】
そこで,本発明は，分布に偏りが少なく，分散性に優れた吸入用パウダーの製造方法を提供することを目的とする。
【００１０】
特に本発明は，分布に偏りが少なく，分散性に優れたマクロライド系化合物（ステアリン酸エリストマイシンン）を含有する吸入用パウダーの製造方法や，気管支拡張剤又は小児喘息，急性・慢性気管支炎，喘息様気管支炎，肺気腫，肺結核，ケイ肺結核などの気管閉塞性障害を治療するための治療剤の製造方法を提供することを目的とする。
【課題を解決するための手段】
【００１１】
本発明は,１つ以上の有効成分を含む吸入用パウダーを製造するに当たり,第１の有効成分と担体とを撹拌混合し混合物を得た後に,混合物に微粒状の紛体を混合し撹拌することで,有効成分の凝集を抑圧し,有効成分を均一に分布させることができ，しかも分散性に優れた吸入用パウダーを得ることができるという知見に基づくものである。特に本発明は，複数の成分を混合する場合は，凝集性の高い順に攪拌・混合することにより，分散性や均一性に優れた薬剤粉体を得ることができるという知見に基づく。
【００１２】
本発明の第１の側面は，吸入用パウダーの製造方法に関する。この製造方法は，第１の混合工程と，第２の混合工程とを含む。第１の混合工程は，第１の有効成分であるマクロライド系化合物，マクロライド系化合物の薬学的に許容される塩，又はマクロライド系化合物の薬学的に許容される溶媒和物と担体を粉砕媒体の存在下に撹拌し，第１の有効成分を解砕しつつ，担体と混合することで担体及び第１の有効成分の混合物を得る工程である。第２の混合工程は，第１の混合工程で得られた混合物に，微粒粉体を添加し，粉砕媒体の存在下に撹拌混合する工程である。吸入用パウダーの製造方法は,上記の工程のほか,分級工程を含め，通常の吸入用パウダーの製造方法における公知の工程を適宜含んでもよい。
【００１３】
上記の工程を経て製造された吸入用パウダーは，担体粒子表面に微粒粉体が付着し，その微粒粉体を介して第１の有効成分が付着する構造や，微粒粉体及び第１の有効成分が凝集したものが担体に付着した構造をとる。このため，第１の有効成分の分布が極めて一様となるため分散性に極めて優れる。
【００１４】
本発明の吸入用パウダーの好ましい態様は，前記第１の混合工程において，第１の有効成分と異なる第２の有効成分をさらに含む，吸入用パウダーの製造方法である。
【００１５】
本発明の吸入用パウダーの好ましい態様は，前記第２の混合工程において，第１の有効成分と異なる第２の有効成分をさらに含む，吸入用パウダーの製造方法である。
【００１６】
本発明の吸入用パウダーの好ましい態様は，第１の有効成分が，第２の有効成分に比べて自己凝集性が高い，吸入用パウダーの製造方法である。
【００１７】
本発明の吸入用パウダーの好ましい態様は，第１の有効成分が,キシナホ酸サルメテロールであり,第２の有効成分は，プロピオン酸フルチカゾンである。
【００１８】
本発明の吸入用パウダーの好ましい態様は，担体の平均粒径が，微粒粉体の平均粒径の１／５０以上１／５以下である。担体及び微粒粉体の組成は同一でも異なってもよく，糖類又は糖アルコールである。
【００１９】
本発明の吸入用パウダーの好ましい態様は，粉砕媒体がビーズである。
【００２０】
本発明の第２の側面は，ステアリン酸エリストマイシンンよりも凝集性の高い有効成分をさらに含む吸引用パウダーの製造方法に関する。このステアリン酸エリストマイシンンよりも凝集性の高い有効成分を「高凝集性有効成分」とよぶ。この場合，ステアリン酸エリストマイシンンより「高凝集性有効成分」を先に担体と混合するか，ステアリン酸エリストマイシンンと「高凝集性有効成分」をともに担体と混合する。このようにすることで，分散性や均一性に優れた吸引用パウダーを得ることができる。
【００２１】
本発明の第２の側面の第１の態様は，第１の混合工程が，ステアリン酸エリストマイシンンよりも凝集性の高い有効成分である高凝集性有効成分をさらに含んだ状態で，粉砕媒体の存在下に撹拌し，第１の有効成分及び高凝集性有効成分を解砕しつつ，担体と混合することで担体，第１の有効成分及び高凝集性有効成分の混合物得る工程である。
【００２２】
本発明の第２の側面の第２の態様は，第１の混合工程が，ステアリン酸エリストマイシンンよりも凝集性の高い有効成分である高凝集性有効成分と担体を粉砕媒体の存在下に撹拌し，高凝集性有効成分を解砕しつつ，担体と混合することで担体及び高凝集性有効成分の混合物を得る工程である。そして，第２の混合工程において，第１の混合工程で得られた混合物に，第１の有効成分であるマクロライド系化合物，マクロライド系化合物の薬学的に許容される塩，又はマクロライド系化合物の薬学的に許容される溶媒和物と微粒粉体を添加し，粉砕媒体の存在下に撹拌混合する。
【００２３】
本発明の第２の側面の第３の態様は，第１の混合工程が，ステアリン酸エリストマイシンンよりも凝集性の高い有効成分である高凝集性有効成分と担体を粉砕媒体の存在下に撹拌し，高凝集性有効成分を解砕しつつ，担体と混合することで担体及び高凝集性有効成分の混合物を得る工程である。そして，第２の混合工程において，第１の混合工程で得られた混合物に，第１の有効成分であるマクロライド系化合物，マクロライド系化合物の薬学的に許容される塩，又はマクロライド系化合物の薬学的に許容される溶媒和物を添加し，粉砕媒体の存在下に撹拌混合する。その後の第３の混合工程において，前記第２の混合工程で得られた混合物に，微粒粉体を添加し，粉砕媒体の存在下に撹拌混合する。
【００２４】
本発明の第３の側面は上記のいずれかの方法に基づいて製造された吸引用パウダーを有効成分として有効量含む，びまん性汎細気管支炎（DPB）の治療剤の製造方法に関する。すなわち，上記のいずれかの方法に基づいて吸引用パウダーを製造し，これを適宜調整したのち，容器に収容する。このようにして，容器に収容されたびまん性汎細気管支炎（DPB）の治療剤を提供できる。
【００２５】
本発明の第４の側面は上記のいずれかの方法に基づいて製造された吸引用パウダーを有効成分として有効量含む，気管閉塞性障害治療剤の製造方法に関する。すなわち，上記のいずれかの方法に基づいて吸引用パウダーを製造し，これを適宜調整したのち，容器に収容する。このようにして，容器に収容された気管閉塞性障害治療剤の治療剤を提供できる。
【発明の効果】
【００２６】
本発明によれば，分布に偏りが少なく，分散性に優れた吸入用パウダーの製造方法を提供することができる。
【００２７】
特に本発明は，分布に偏りが少なく，分散性に優れたマクロライド系化合物（ステアリン酸エリストマイシンン）を含有する吸入用パウダーの製造方法や，びまん性汎細気管支炎（DPB）及び気管閉塞性障害を治療するための治療剤の製造方法を提供できる。
【図面の簡単な説明】
【００２８】
【図１】図１は，参考例１により得られた吸入用パウダーの図面に替わるＳＥＭ写真である。
【図２】図２は，市販されている吸入用パウダーの図面に替わるＳＥＭ写真である。
【発明を実施するための形態】
【００２９】
以下，本発明を実施するための形態を説明する。本発明は，吸入用パウダーの製造方法に関する。吸入用パウダーは，吸入可能な薬剤である。吸入用パウダーは，特表２０１１−５０３０５８号公報に開示されるように，吸入器を用いて，患者に投与される薬剤である。吸入器は，喘息，気管支炎，びまん性汎細気管支炎（DPB），慢性閉塞性肺疾患(ＣＯＰＤ)，気腫及び鼻炎を含む呼吸器疾患の治療のために使用される。また，吸入器は，鎮痛剤及びホルモンを含む医薬を経口又は経鼻投与するために使用される。吸入器の例は，乾燥粉末吸入器(ＤＰＩ)，加圧式定量噴霧吸入器(ｐＭＤＩ)及びネブライザーである。本発明において好ましい吸入器は，乾燥粉末吸入器である。吸入用パウダーの例は，吸入器用乾燥粉末，及びドライパウダーである。
【００３０】
この製造方法は，第１の混合工程（ステップ１０１）と，第２の混合工程（ステップ１０２）とを含む。
【００３１】
第１の混合工程は，第１の有効成分と担体を粉砕媒体の存在下に撹拌し，第１の有効成分を解砕しつつ，担体と混合する工程である。この工程により，担体及び第１の有効成分の混合物を得ることができる。この工程により，第１の有効成分を解砕しつつ，担体表面に付着させることができる。第１の混合工程は，第１の有効成分と担体の他，公知の薬学的に使用される剤が含まれていてもよい。そのような薬学的に使用される剤の例は，添加剤，滑剤，酸性度調整剤，色素，清涼剤，味遮断剤，甘味剤，帯電防止剤，吸収促進剤及び賦形剤である。これらの剤は，第２の混合工程で添加されてもよいし，第２の混合工程の後の工程で添加されてもよい。なお，第１の混合工程において，第２の有効成分が添加されてもよいし，第２の混合工程において第２の有効成分が添加されてもよい。さらに，第１又は第２の混合工程において第３又はそれ以降の有効成分が添加されてもよい。
【００３２】
第１の混合工程において，第２の有効成分が添加される場合，例えば第１の有効成分と担体とを混合した後に，第２の有効成分を混合してもよい。この場合，例えば第１の有効成分と担体とを攪拌混合した後に，第２の有効成分を添加し，更に攪拌混合してもよい。第１の混合工程において，第２の有効成分が添加される場合，例えば第２の有効成分と担体とを混合した後に，第１の有効成分を混合してもよい。この場合，例えば第２の有効成分と担体とを攪拌混合した後に，第１の有効成分を添加し，更に攪拌混合してもよい。このような２段階又はそれ以上の工程を含むものも第１の混合工程である。
【００３３】
第１の有効成分は，マクロライド系化合物，マクロライド系化合物の薬学的に許容される塩，又はマクロライド系化合物の薬学的に許容される溶媒和物である。マクロライド系化合物には，１４員環マクロライド系化合物，１５員環マクロライド系化合物及び１６員環マクロライド系化合物が含まれる。１４員環マクロライド系化合物の例は，エリスロマイシン（エリスロシン），クラリスロマイシン（クラリス、クラリシッド）及びロキシスロマイシン（ルリッド）である。１５員環マクロライド系化合物の例は，アジスロマイシン（ジスロマック）である。１６員環マクロライド系化合物の例は，ジョサマイシン（ジョサマイシン），キタサマイシン（ロイコマイシン），アセチルスピラマイシン（アセチルスピラマイシン），ミデカマイシン（メデマイシン），及びロキタマイシン（リカマイシン）である。好ましい，マイクロライド系化合物の例は，エリスロマイシン，クラリスロマイシン，ロキシスロマイシン，アジスロマイシン，ジスロマイシン，ジョサマイシン，及びスピラマイシンである。薬学的に許容される塩の例は，アルカリ塩（例えば，ナトリウム塩），酸塩（たとえばステアリン酸塩，塩酸塩，硫酸塩，及び酢酸塩）及びハロゲン化物（例えば，塩化物，臭化物，及びフッ化物）である。マクロライド系化合物の薬学的に許容される塩の例は，ステアリン酸エリストマイシンン及び酢酸ミデカマイシン（ミオカマイシン）である。溶媒和物の例は水和物である。薬剤が大気中の水分を吸収し，水が付加したものも水和物に含まれる。第１の有効成分は，ステアリン酸エリストマイシンンが好ましい。もっとも，第１の有効成分は，マクロライド系化合物，マクロライド系化合物の薬学的に許容される塩，及びマクロライド系化合物の薬学的に許容される溶媒和物の混合物であってもよい。吸入用パウダーに含まれる第１の有効成分の粒子径は，例えば，０．１μｍ以上１０μｍ以下であり，０．５μｍ以上５μｍ以下でもよく，１μｍ以上４μｍ以下でもよい。第１の工程の原料となる第２の有効成分の粒子径は，例えば，０．１μｍ以上２０μｍ以下であり，１μｍ以上１０μｍ以下でもよく，２μｍ以上４μｍ以下でもよい。
【００３４】
第１の有効成分の含有量は，第１の有効成分が有効量含まれればよい。第１の有効成分の含有量の例は，吸入用パウダーの０．０１重量％以上１０重量％以下であり，０．１重量％以上５重量％以下でもよい。臭化チオトロピウム又は臭化チオトロピウム水和物は，例えば，１日あたり１μｇ以上１ｇ以下，又は１０μｇ以上１００ミリグラム以下投与されればよい。
【００３５】
第２の有効成分は，乾燥粉末吸入器により投与される有効成分である。第２の有効成分は，例えば，喘息，気管支炎，慢性閉塞性肺疾患(ＣＯＰＤ)，気腫及び鼻炎を含む呼吸器疾患の治療剤，又は鎮痛剤及びホルモンを含む。第２の有効成分の例は，ステロイド，β２−アゴニスト，及び抗コリン化合物である。第２の有効成分は，β２−アゴニスト，又は抗コリン化合物が好ましい。第２の有効成分の例は，サルブタモール，硫酸サルブタモールフマル酸ホルモテロールである。β２−アゴニストの例は，サルメテロール，フォルモテロール，バンブテロール，カルモテロール，インダカテロール，３−(４−{[６−({(２Ｒ)−２−[３−(ホルミルアミノ)−４−ヒドロキシフェニル]−２−ヒドロキシエチル}アミノ)ヘキシル]オキシ}−ブチル)−ベンゼンスルホンアミド，及び３−(４−{[６−({(２Ｒ)−２−ヒドロキシ−２−[４−ヒドロキシ−３−(ヒドロキシ−メチル)フェニル]エチル}アミノ)−ヘキシル]オキシ}ブチル)ベンゼンスルホンアミドである。抗コリン化合物の例は，イプラトロピウム，チオトロピウム，オキシトロピウム，トルテロジン，アクリジニウム，及びグリコピロニウムである。これらの剤は，薬学的に許容される塩でもよいし，薬学的に許容される溶媒和物であってもよいし，薬学的に許容される誘導体であってもよい。薬学的に許容される塩の例は，アルカリ塩（例えば，ナトリウム塩），酸塩（たとえばステアリン酸塩，塩酸塩，硫酸塩，及び酢酸塩）及びハロゲン化物（例えば，塩化物，臭化物，及びフッ化物）である。
【００３６】
吸入用パウダーに含まれる第２の有効成分の粒子径は，例えば，０．１μｍ以上１０μｍ以下であり，０．５μｍ以上５μｍ以下でもよく，１μｍ以上４μｍ以下でもよい。第１の工程の原料となる第２の有効成分の粒子径は，例えば，０．１μｍ以上２０μｍ以下であり，１μｍ以上１０μｍ以下でもよく，２μｍ以上４μｍ以下でもよい。
【００３７】
第１の有効成分の含有量は，第１の有効成分が有効量含まれればよい。第１の有効成分の含有量の例は，吸入用パウダーの０．０１重量％以上１０重量％以下であり，０．１重量％以上５重量％以下でもよい。
【００３８】
担体の例は，糖類，糖アルコール，糖類及び糖アルコールの混合物，これらの薬学的に許容される塩，これらの薬学的に許容される溶媒和物，及びこれらの薬学的に許容される誘導体である。糖類の例は，グルコース，ガラクトース，Ｄ−マンノース，アラビノース，ソルボース，ラクトース（乳糖），マルトース，スクロース及びトレハロースである。糖アルコール類の例はマンニトール，マルチトール，キシリトール，ソルビトール，ミオイノシトールおよびエリスリトールである。糖類は，上記のとおり，単糖類，二糖類，及び多糖類のいずれでもよい。担体の好ましい例は，乳糖である。
【００３９】
吸入用パウダーに含まれる担体の粒子径は，例えば，１０μｍ以上２００μｍ以下であり，５０μｍ以上１５０μｍ以下でもよく，６０μｍ以上１００μｍ以下でもよいし，６５μｍ以上９０μ以下でもよい。第１の工程における原料としての担体の粒子径は，例えば，１５μｍ以上３００μｍ以下である。
【００４０】
吸入用パウダーに含まれる担体の量は，吸入用パウダーの５０重量％以上９９重量％以下であり，６０重量％以上９９重量％以下でもよいし，８０重量％以上９５重量％以下でもよい。
【００４１】
粉砕媒体は，粉砕装置に用いられる公知の媒体を適宜用いることができる。粉砕媒体の例は，ビーズである。ビーズの種類，形状及び大きさは適宜調整すればよい。粉砕媒体は，いずれかの工程の後に取り除かれてもよい。ビーズを取り除くためには，ビーズより目の細かい篩を用いて篩過すればよい。
【００４２】
攪拌装置は，攪拌対象となる成分と粉砕媒体とを収容し，攪拌・混合する装置である。攪拌装置は公知なので，公知の攪拌装置を適宜用いることができる。攪拌装置の好ましい例は，せん断力を生じない攪拌装置である。そのような攪拌装置の例は，タンブルブレンダーである（例えば特開２００９−２１５３１０号公報を参照）。具体的な攪拌装置の例は，３次元混合機(ＴＵＲＢＵＬＡ  ＭＩＸＥＲ)である。混合機の例は，特開２００９−２７９５５８号に開示された，粉体材料を混合機に搬送する搬送路途中に，分級機が備えられたものである。攪拌装置及び分級装置は，例えば上記した特許文献に開示されたものを適宜用いることができる。本明細書における攪拌及び混合には，振盪により複数の成分を混合するものも含まれる。
【００４３】
第１の混合工程は，例えば，混合容器に第１の有効成分及び担体を含む原料とビーズなどの粉砕媒体を収容する。振盪時間は，例えば，１０秒以上１０分以下である。攪拌速度の例は，５ｒｐｍ以上５００ｒｐｍ以下であり，５ｒｐｍ以上２００ｒｐｍ以下でもよいし，２０ｒｐｍ以上１００ｒｐｍ以下でもよいし，３０ｒｐｍ以上８０ｒｐｍ以下でもよい。攪拌時間の例は，３０秒以上６時間以下であり，１分以上６時間以下でもよく，１０分以上２時間以下でもよい。
【００４４】
第２の混合工程は，第１の混合工程で得られた混合物に，微粒粉体を添加し，粉砕媒体の存在下に撹拌混合する工程である。第２の混合工程において，第１の有効成分と異なる第２の有効成分又は第３の有効成分をさらに添加して，攪拌混合を行ってもよい。先に説明したとおり，第２の有効成分は，第１の混合工程において添加されてもよい。さらに，第２の混合工程において，第３又はそれ以降の有効成分が添加されてもよい。なお，第１の混合工程において第２の有効成分が混合されない場合であっても，第２の混合工程において第２の有効成分又は第３の有効成分が混合されても構わない。さらに第２の混合工程において，又は第２の混合工程の後に，第４又はそれ以降の有効成分が添加されて攪拌混合されてもよい。いずれの場合も，最終の混合工程において，混合物と微粒粉体を添加し，粉砕媒体の存在下に撹拌混合することが好ましい。以下では，第２の混合工程で，第３の有効成分及び微粒粉体が添加されたものを例にして説明する。
【００４５】
第３の有効成分は，乾燥粉末吸入器により投与される有効成分である。第３の有効成分は，例えば，喘息，気管支炎，慢性閉塞性肺疾患(ＣＯＰＤ)，気腫及び鼻炎を含む呼吸器疾患の治療剤，又は鎮痛剤及びホルモンを含む。第３の有効成分の例は，ステロイド，β２−アゴニスト，及び抗コリン化合物である。第３の有効成分は，ステロイドが好ましく，特にグルココルチコステロイドが好ましい。第３の有効成分は，第２の有効成分に比べて自己凝集性が低いものが好ましい。有効成分の自己凝集性は，参考例又は実施例に示した方法により比較することができる。
【００４６】
第３の有効成分の例は，ブデソニド，フルチカゾン(例えばプロピオン酸エステルまたはフロ酸エステル)，モメタゾン(例えばフロ酸エステル)，ベクロメタゾン(例えば１７−プロピオン酸エステルまたは１７,２１−ジプロピオン酸エステル)，シクレソニド，トリアムシノロン(例えばアセトニド)，フルニソリド，ゾチカゾン(zoticasone)，フルモキソニド(flumoxonide)，ロフレポニド，ロテプレドノール，エチプレドノール(etiprednol)(例えばジクロロアセテート)，ブチキソコート(例えばプロピオン酸エステル)，プレドニゾロン，プレドニゾン，チプレダン(tipredane)，６α,９α−ジフルオロ−１７α−[(２−フラニルカルボニル)オキシ]−１１β−ヒドロキシ−１６α−メチル−３−オキソ−アンドロスタ−１,４−ジエン−１７β−カルボチオ酸Ｓ−フルオロメチルエステル，６α,９α−ジフルオロ−１１β−ヒドロキシ−１６α−メチル−３−オキソ−１７α−プロピオニルオキシ−アンドロスタ−１,４−ジエン−１７β−カルボチオ酸類−(２−オキソ−テトラヒドロ−フラン−３Ｓ−イル)エステル，及び６α,９α−ジフルオロ−１１β−ヒドロキシ−１６α−メチル−１７α−[(４−メチル−１,３−チアゾール−５−カルボニル)オキシ]−３−オキソ−アンドロスタ−１,４−ジエン−１７β−カルボチオ酸類−フルオロメチルエステルである。第３の有効成分の好ましい例は，プロピオン酸フルチカゾンである。
【００４７】
吸入用パウダーに含まれる第３の有効成分の粒子径は，例えば，０．１μｍ以上１０μｍ以下であり，０．５μｍ以上５μｍ以下でもよく，１μｍ以上４μｍ以下でもよい。第２の工程の原料となる第３の有効成分の粒子径は，例えば，０．１μｍ以上２０μｍ以下であり，１μｍ以上１０μｍ以下でもよく，２μｍ以上４μｍ以下でもよい。
【００４８】
第３の有効成分の含有量は，第３の有効成分が有効量含まれればよい。第３の有効成分の含有量の例は，吸入用パウダーの０．１重量％以上２０重量％以下であり，１重量％以上１０重量％以下でもよい。
【００４９】
微粒粉体は，通常有効成分以外の化合物（例えば生理活性が無い又は低いか生理活性が期待されていない化合物又は組成物）からなる粉体である。微粒粉体の例は，糖類，糖アルコール，糖類及び糖アルコールの混合物，これらの薬学的に許容される塩，これらの薬学的に許容される溶媒和物，及びこれらの薬学的に許容される誘導体である。微粒粉体と担体の組成は同一でも異なってもよい。微粒粉体の平均粒径は，担体の平均粒径の１／５０以上１／５以下であることが好ましい。微粒粉体の粒子径は，例えば，０．１μｍ以上１０μｍ以下であり，０．５μｍ以上５μｍ以下でもよく，１μｍ以上４μｍ以下でもよい。第２の工程の原料となる微粒粉体の粒子径は，例えば，０．１μｍ以上２０μｍ以下であり，１μｍ以上１０μｍ以下でもよく，２μｍ以上４μｍ以下でもよい。
【００５０】
第２の工程も第１の工程と同様の装置を用いて，同様の条件の下に行うことができる。
【００５１】
上記の工程を経て製造された吸入用パウダーは，担体粒子表面に第１の有効成分，第２の有効成分，第３の有効成分及び微粒粉体の凝集体が付着した構造や，担体粒子表面に微粒粉体が付着し，その微粒粉体を介して第１の有効成分，第２の有効成分及び第３の有効成分が付着した構造をとる。このため，第１の有効成分，第２の有効成分及び第３の有効成分の分布が極めて一様となり，分散性に極めて優れる。
【００５２】
吸入用パウダーの製造方法は,上記の工程のほか通常の吸入用パウダーの製造方法における公知の工程を適宜含んでもよい。上記２つの工程以外の例は，分級工程，乾燥工程，及び製品化工程である。製品化工程は，得られた吸入用パウダーを乾燥条件下に吸入器等に充填する工程である。吸入器等は，吸入器，吸入器用カートリッジ，ブリスター及びカプセルが含まれる。なお，第１の混合工程（ステップ１０１）と，第２の混合工程（ステップ１０２）との間に，第１の混合工程で得られた混合物を湿潤させた後に乾燥させ，その後に第２の混合工程（ステップ１０２）を行うようにしてもよい。このようにすることで薬剤の放出時間を制御できる。つまり，第１の有効成分が担体により強固に接着するため，第１の有効成分の生体内での放出速度を遅くすることができる。
【００５３】
例えば，サルメテロールキシナホ酸塩・フルチカゾンプロピオン酸エステルは，小児喘息，気管支喘息や慢性閉塞性肺疾患(COPD)の治療に用いられる配合剤である。日本は「アドエア（登録商標）」(Adoair)，ドイツ以外のＥＵ諸国で「セレタイド」(Seretide)，ドイツで「ヴィアーニ」(Viani)，アメリカで「アドベアー」(Advair)という商品名で販売されている。この配合剤は，サルメテロールキシナホ酸塩を５０μｇ，フルチカゾンプロピオン酸エステルを５０μｇ〜５００μｇ含む。本発明の吸入用パウダーも，例えば，アドエア（登録商標）と同様にして用いることができる。
【００５４】
本発明の第２の側面は，ステアリン酸エリストマイシンンよりも凝集性の高い有効成分をさらに含む吸引用パウダーの製造方法に関する。このステアリン酸エリストマイシンンよりも凝集性の高い有効成分を「高凝集性有効成分」とよぶ。この場合，ステアリン酸エリストマイシンンより「高凝集性有効成分」を先に担体と混合するか，ステアリン酸エリストマイシンンと「高凝集性有効成分」をともに担体と混合する。このようにすることで，分散性や均一性に優れた吸引用パウダーを得ることができる。
【００５５】
本発明の第２の側面の第１の態様は，第１の混合工程が，ステアリン酸エリストマイシンンよりも凝集性の高い有効成分である高凝集性有効成分をさらに含んだ状態で，粉砕媒体の存在下に撹拌し，第１の有効成分及び高凝集性有効成分を解砕しつつ，担体と混合することで担体，第１の有効成分及び高凝集性有効成分の混合物得る工程である。
【００５６】
本発明の第２の側面の第２の態様は，第１の混合工程が，ステアリン酸エリストマイシンンよりも凝集性の高い有効成分である高凝集性有効成分と担体を粉砕媒体の存在下に撹拌し，高凝集性有効成分を解砕しつつ，担体と混合することで担体及び高凝集性有効成分の混合物を得る工程である。そして，第２の混合工程において，第１の混合工程で得られた混合物に，第１の有効成分であるマクロライド系化合物，マクロライド系化合物の薬学的に許容される塩，又はマクロライド系化合物の薬学的に許容される溶媒和物と微粒粉体を添加し，粉砕媒体の存在下に撹拌混合する。
【００５７】
本発明の第２の側面の第３の態様は，第１の混合工程が，ステアリン酸エリストマイシンンよりも凝集性の高い有効成分である高凝集性有効成分と担体を粉砕媒体の存在下に撹拌し，高凝集性有効成分を解砕しつつ，担体と混合することで担体及び高凝集性有効成分の混合物を得る工程である。そして，第２の混合工程において，第１の混合工程で得られた混合物に，第１の有効成分であるマクロライド系化合物，マクロライド系化合物の薬学的に許容される塩，又はマクロライド系化合物の薬学的に許容される溶媒和物を添加し，粉砕媒体の存在下に撹拌混合する。その後の第３の混合工程において，前記第２の混合工程で得られた混合物に，微粒粉体を添加し，粉砕媒体の存在下に撹拌混合する。
【００５８】
本発明は，本発明の方法により得られた吸引用パウダー又は薬剤を患者である対象に投与することを含む対象のびまん性汎細気管支炎の治療及び気管閉塞性障害の治療方法をも提供する。      
【００５９】
［参考例１］
混合均一性の確認実験
ＨＰＬＣ（液体高速クロマトグラフィー）として，島津製作所製Ｐｒｏｍｉｎｅｎｃｅ（登録商標）を用いた。検出波長は，２２８ｎｍ，流速は０．８
ｍＬ/ｍｉｎとし，移動相としてＣＨ３ＣＮ:Ｈ２Ｏ = ７:１のものを用い，内部標準としてトランス−スチルベン（ｔｒａｎｓ-ｓｔｉｌｂｅｎｅ） １０ マイクロｇ/ｍｌを用いた。サンプリング溶液は，メタノール：水：ＣＨ３ＣＮ:Ｈ２Ｏ =１０:７:３のものを用いた。カラムとして，東ソー社製ＴＳＫｇｅｌ ＯＤＳ-８０Ｔｓ直径４．６
ｍｍ長さ１５０ ｍｍのものを用いた。
【００６０】
分散性の確認実験（カスケードインパクション解析）
カスケードインパクターとしてティシュエンヴァイラメンタル（Tisch Environmental）社製シリーズ２９０  マープルパーソナルカスケードインパクターを用いた。流量は，２ｌ／分であり，サンプル量はブリスター換算で５〜１０回分であり，定量分析には，先に説明したＨＰＬＣを用いた。  
【００６１】
自己凝集性確認方法
ふるい目開きの異なる3種類のふるい（60，100，200メッシュ）を順に重ね，底部に容器を装着する。粉体（例えば200メッシュ以下）を最上段（60メッシュ）のふるいに2g供給し，一定時間ふるいを振動させる。
振動時間（T）は次式によって決める。
T＝20＋(1.6−W)/0.016  ［sec］  (2)
ここで，Wは動的みかけ密度と呼ばれ，次式によって計算する。
W＝｛(P−A)C/100｝＋A  ［g/cm3］  (3)
振動終了後，上段（60メッシュ）のふるい残量X［g］，中段（100メッシュ）のふるい残量Y［g］，下段（200メッシュ）のふるい残量Z［g］を測定し，次式により自己凝集度Gを算出する。
G＝(X/2＋3Y/10＋Z/10)×100  (4)
このGが高いほど自己凝集性が高いことを示す。
【００６２】
担体乳糖及びβ２−刺激剤を混合容器内に添加した。その後，容器内に添加した紛体容積の半分程度の容積分のビーズを容器内に添加した。ビーズの直径は３ｍｍであった。混合容器を１分間振盪した。ターブラー混合機を用いて４６ｒｐｍの回転速度にて３０分間混合を行った。細粒乳糖及びコルチゾール誘導体を混合容器内に添加した。その後，混合容器を１分間振盪した。ターブラー混合機を用いて４６ｒｐｍの回転速度にて１時間混合を行った。その後,ふるい（目開き２５０μｍ）を用いて篩過した。このようにして乾燥粉末組成物を得た。参考例１における成分の重量比は，β２−刺激剤が０．６重量％，コルチゾール誘導体が１．４重量％，担体乳糖が９３重量%及び細粒乳糖が５重量％であった。
【００６３】
細粒乳糖の粒径（Ｄ５０）は，５μｍ以下であり，担体乳糖の粒径（Ｄ５０）は，６０μｍであった。β２−刺激剤（キシナホ酸サルメテロール（ＳＸ））はメロディー社製のものであり，粒径（Ｄ５０）が１．５μｍであった。コルチゾール誘導体（プロピオン酸フルチカゾン（ＦＰ））は，シプラ社製のものであり，粒径（Ｄ５０）が２．２μｍであった。
【００６４】
[比較例１]
担体乳糖，β２−刺激剤，細粒乳糖及びコルチゾール誘導体を混合容器内に添加した。その後，混合容器を１分間振盪した。ターブラー混合機を用いて４６ｒｐｍの回転速度にて１時間混合を行った。
【００６５】
[比較例２]
担体乳糖，細粒乳糖を混合・攪拌した後に，β２−刺激剤及びコルチゾール誘導体を混合攪拌した以外は参考例１と同様にして乾燥粉末組成物を得た。
【００６６】
参考例１，比較例１及び比較例２の混合均一性の検証結果は以下のとおりであった。混合均一性の検証は，ＨＰＬＣを用いて行った。
【００６７】
参考例１：  相対標準偏差  ２．１％
比較例１：  相対標準偏差  １０．５％
比較例２：  相対標準偏差  ８．３％
【００６８】
上記のとおり，同じ原材料を用いても本発明の製造方法により得られた乾燥粉末組成物は混合均一性について比較例に比べて顕著な効果があった。
【００６９】
図１は，参考例１により得られた吸入用パウダーのＳＥＭ写真である。図２は，市販されている吸入用パウダーであるアドエア（登録商標）のＳＥＭ写真である。
【００７０】
図１から参考例１により得られた吸入用パウダーは，担体表面全体にわたり微粒粉末の凝集体が付着したり，担体表面に粉末が付着し，さらにその上に粉末が付着している様子がわかる。一方，図２から市販されている吸入用パウダーは，粉末が担体表面の一部に直接付着することがわかる。
【００７１】
分散性の検討１
［参考例２］
参考例２では，有効成分を変えた場合に，本発明が有効であるか否か検討した。参考例１においてキシナホ酸サルメテロール（ＳＸ）の替わりにテバＡＰＩ社製フマル酸ホルモテロール（ＦＦ）（粒径（Ｄ５０）が５μｍ以下）を用い，プロピオン酸フルチカゾン（ＦＰ）の替わりにテバＡＰＩ社製ブデソニド（粒径（Ｄ５０）が５μｍ以下）を用いた以外は参考例１と同様にして吸入用パウダーを製造した。そして，参考例１の吸入用パウダー及び参考例２の吸入用パウダーの分散性についてカスケードインパクター用いてＦＰＦ（Ｆｉｎｅ  Ｐａｒｔｉｃｌｅ  Ｆｒａｃｔｉｏｎ）を評価した。
【００７２】
参考例１の吸入用パウダーは，ＦＰが１３．９％，ＳＸが１２．４％のＦＰＦを示した。参考例２の吸入用パウダーは，ＢＤが２１．０％，ＦＦが１４．８％のＦＰＦを示した。すなわち，本発明の方法は，様々な有効成分について有効であることが示された。
【００７３】
［参考例３］
分散性に対する賦形剤物性の影響
参考例３−１．参考例１において，担体乳糖に替えてロケット社製マンニトール（粒径（Ｄ５０）が６０μｍ）を用い，細粒乳糖に替えてロケット社製マンニトール（粒径（Ｄ５０）が５μｍ以下）を用いた以外は参考例１と同様にして吸入用パウダーを製造した。
【００７４】
参考例３−２．参考例１において，担体乳糖に替えて旭化成社製トレハロース（粒径（Ｄ５０）が６０μｍ）を用い，細粒乳糖に替えて旭化成社製トレハロース（粒径（Ｄ５０）が５μｍ以下）を用いた以外は参考例１と同様にして吸入用パウダーを製造した。参考例３−１の吸入用パウダー及び参考例３−２の吸入用パウダーの分散性についてカスケードインパクターを用いてＦＰＦ（Ｆｉｎｅ  Ｐａｒｔｉｃｌｅ  Ｆｒａｃｔｉｏｎ）を評価した。
【００７５】
参考例３−１の吸入用パウダーは，ＦＰが１４．７％，ＳＸが１４．５％のＦＰＦを示した。参考例３−２の吸入用パウダーは，ＦＰが１１．５％，ＳＸが１１．４％のＦＰＦを示した。これにより，糖や糖アルコールを担体又は微粒粉体として用いた場合に，本発明が有効に機能することが示された。
【００７６】
［参考例４］
分散性に対する微粒粉体の影響
参考例４−１．参考例１において，細粒乳糖に替えてロケット社製マンニトール（粒径（Ｄ５０）が５μｍ以下）を用いた以外は参考例１と同様にして吸入用パウダーを製造した。
【００７７】
参考例４−２．参考例１において，細粒乳糖に替えて旭化成社製トレハロース（粒径（Ｄ５０）が５μｍ以下）を用いた以外は参考例１と同様にして吸入用パウダーを製造した。
【００７８】
［比較例３］参考例１において，細粒乳糖を用いなかった以外は参考例１と同様にして吸入用パウダーを製造した。参考例４−１，４−２及び比較例３の吸入用パウダーの分散性についてカスケードインパクターを用いてＦＰＦ（Ｆｉｎｅ  Ｐａｒｔｉｃｌｅ  Ｆｒａｃｔｉｏｎ）を評価した
【００７９】
参考例４−１の吸入用パウダーは，ＦＰが１６．０％，ＳＸが１６．８％のＦＰＦを示した。参考例４−２の吸入用パウダーは，ＦＰが１２．５％，ＳＸが１２．８％のＦＰＦを示した。比較例３の吸入用パウダーは，ＦＰが４．２％，ＳＸが５．３％のＦＰＦを示した。これにより，担体と微粒粉体とが同じ物質でなくても，本発明が有効に機能することが示された。一方，第２の混合工程において，微粒粉体を加えない場合に，分散性が著しく低下することが示された。
【００８０】
［参考例５］
担体(乳糖，Ｄ−マンニトール，エリスリトール又はトレハロース)及びβ２−刺激剤（硫酸サルブタモール：ＳＳ）を混合容器内に添加した。その後，容器内に添加した紛体容積の半分程度の容積分のビーズを容器内に添加した。ビーズの直径は３ｍｍであった。混合容器を１分間振盪した。ターブラー混合機を用いて４６ｒｐｍの回転速度にて５分間混合を行った。細粒(乳糖，Ｄ−マンニトール，エリスリトール又はトレハロース)及びコルチゾール誘導体を混合容器内に添加した。その後，混合容器を１分間振盪した。ターブラー混合機を用いて４６ｒｐｍの回転速度にて３０分混合を行った。その後,ふるい（目開き２５０μｍ）を用いて篩過した。このようにして乾燥粉末組成物を得た。実施例１における成分の重量比は，β２−刺激剤が０．７４重量％，担体が９２．７０重量%及び細粒が６．５６重量％であった。
【００８１】
［比較例４］
攪拌を行わない以外は参考例５と同様にして吸入用パウダーを調整した。
【００８２】
細粒の粒径（Ｄ５０）は，いずれの組成のものも５μｍ以下であり，担体の粒径（Ｄ５０）は，いずれの組成のものも６０μｍであった。β２−刺激剤（硫酸サルブタモール）はメロディー製のものであり，粒径（Ｄ５０）が２．２μｍ以下であった。
【００８３】
混合均一性の確認実験
参考例５における混合均一性を以下のようにして行った。ＨＰＬＣ（液体高速クロマトグラフィー）として，島津製作所製Ｐｒｏｍｉｎｅｎｃｅ（登録商標）を用いた。検出波長は，２３５ｎｍ，流速は０．８ｍＬ/ｍｉｎとし，移動相としてＣＨ３ＣＮ:Ｈ２Ｏ = ７:１のものを用い，内部標準としてトランス−スチルベン（ｔｒａｎｓ-ｓｔｉｌｂｅｎｅ）１０マイクロｇ/ｍｌを用いた。サンプリング溶液は，メタノール：水：ＣＨ３ＣＮ:Ｈ２Ｏ=１０:７:３のものを用いた。カラムとして，東ソー社製ＴＳＫｇｅｌ ＯＤＳ-８０Ｔｓ直径４．６ｍｍ長さ１５０ｍｍのものを用いた。
【００８４】
参考例５における混合均一性（％ＲＳＤ：相対標準偏差）を表１に示す。
【００８５】
［表１］
乳糖：２．８
マンニトール：２．６
エリスリトール：２．９
トレハロース：３．１
【００８６】
比較例４における混合均一性（％ＲＳＤ：相対標準偏差）を表２に示す。
【００８７】
［表２］
乳糖：８．５
マンニトール：７．７
エリスリトール：８．８
トレハロース：１０．１
【００８８】
表１及び表２を比べると，いずれの組成の担体及び細粒を用いた場合であっても攪拌により混合均一性が著しく高まること（すなわち％ＲＤＳの値が小さくなること）がわかる。これは，本発明の工程を採用することで混合均一性が著しく高まることを示している。
【００８９】
分散性の確認実験（カスケードインパクション解析）
カスケードインパクターとしてティシュエンヴァイラメンタル（Tisch Environmental）社製シリーズ２９０  マープルパーソナルカスケードインパクターを用いた。流量は，２ｌ／分であり，サンプル量はブリスター換算で１０回分とし，定量分析には，先に説明したＨＰＬＣを用いた。
【００９０】
参考例５における分散性を表３に示す。
【００９１】
［表３］
乳糖：２０．５
マンニトール：１６．４
エリスリトール：１５．６
トレハロース：２４．６
【実施例１】
【００９２】
担体(乳糖，Ｄ−マンニトール，エリスリトール又はトレハロース)及びマクロライド（ステアリン酸エリストマイシン）を混合容器内に添加した。その後，容器内に添加した紛体容積の半分程度の容積分のビーズを容器内に添加した。ビーズの直径は３ｍｍであった。混合容器を１分間振盪した。ターブラー混合機を用いて４６ｒｐｍの回転速度にて５分間混合を行った。細粒(乳糖，Ｄ−マンニトール，エリスリトール又はトレハロース)及びコルチゾール誘導体を混合容器内に添加した。その後，混合容器を１分間振盪した。ターブラー混合機を用いて４６ｒｐｍの回転速度にて３０分混合を行った。その後,ふるい（目開き２５０μｍ）を用いて篩過した。このようにして乾燥粉末組成物を得た。参考例５における成分の重量比は，マクロライド（ステアリン酸エリストマイシン）が０．７４重量％，担体が９２．７０重量%及び細粒が６．５６重量％であった。
【００９３】
［比較例５］
攪拌を行わない以外は実施例１と同様にして吸入用パウダーを調整した。
【００９４】
細粒の粒径（Ｄ５０）は，いずれの組成のものも５μｍ以下であり，担体の粒径（Ｄ５０）は，いずれの組成のものも６０μｍであった。β２−刺激剤（硫酸サルブタモールはメロディー製のものであり，粒径（Ｄ５０）が２．２μｍ以下であった。
【００９５】
混合均一性の確認実験
実施例１における混合均一性を以下のようにして行った。ＨＰＬＣ（液体高速クロマトグラフィー）として，島津製作所製Ｐｒｏｍｉｎｅｎｃｅ（登録商標）を用いた。検出波長は，２３５ｎｍ，流速は０．８ｍＬ/ｍｉｎとし，移動相としてＣＨ３ＣＮ:Ｈ２Ｏ = ７:１のものを用い，内部標準としてトランス−スチルベン（ｔｒａｎｓ-ｓｔｉｌｂｅｎｅ）１０マイクロｇ/ｍｌを用いた。サンプリング溶液は，メタノール：水：ＣＨ３ＣＮ:Ｈ２Ｏ=１０:７:３のものを用いた。カラムとして，東ソー社製ＴＳＫｇｅｌ ＯＤＳ-８０Ｔｓ直径４．６ｍｍ長さ１５０ｍｍのものを用いた。
【００９６】
実施例１における混合均一性（％ＲＳＤ：相対標準偏差）を表４に示す。
【００９７】
［表４］
乳糖：２．８
マンニトール：３．０
エリスリトール：３．２
トレハロース：２．９
【００９８】
比較例５における混合均一性（％ＲＳＤ：相対標準偏差）を表５に示す。
【００９９】
［表５］
乳糖：７．３
マンニトール：７．０
エリスリトール：７．４
トレハロース：８．１
【０１００】
表１及び表２を比べると，いずれの組成の担体及び細粒を用いた場合であっても攪拌により混合均一性が著しく高まること（すなわち％ＲＤＳの値が小さくなること）がわかる。これは，本発明の工程を採用することで混合均一性が著しく高まることを示している。
【０１０１】
分散性の確認実験（カスケードインパクション解析）
カスケードインパクターとしてティシュエンヴァイラメンタル（Tisch Environmental）社製シリーズ２９０  マープルパーソナルカスケードインパクターを用いた。流量は，２ｌ／分であり，サンプル量はブリスター換算で１０回分とし，定量分析には，先に説明したＨＰＬＣを用いた。
【０１０２】
実施例１における分散性を表６に示す。
【０１０３】
［表６］
乳糖：２０．３
マンニトール：２６．４
エリスリトール：２３．８
トレハロース：１９．３
【０１０４】
［参考例６］
担体(乳糖，Ｄ−マンニトール，エリスリトール又はトレハロース)及びβ２−刺激剤を混合容器内に添加した。その後，容器内に添加した紛体容積の半分程度の容積分のビーズを容器内に添加した。ビーズの直径は３ｍｍであった。混合容器を１分間振盪した。ターブラー混合機を用いて４６ｒｐｍの回転速度にて５分間混合を行った。ムスカリン受容体アンタゴニストである臭化チオトロピウム（又は臭化チオトロピウム水和物）を混合容器内に添加した。混合容器を１分間振盪した。ターブラー混合機を用いて４６ｒｐｍの回転速度にて５分間混合を行った。細粒(乳糖，Ｄ−マンニトール，エリスリトール又はトレハロース)及びコルチゾール誘導体を混合容器内に添加した。その後，混合容器を１分間振盪した。ターブラー混合機を用いて４６ｒｐｍの回転速度にて３０分混合を行った。その後,ふるい（目開き２５０μｍ）を用いて篩過した。このようにして乾燥粉末組成物を得た。参考例６における成分の重量比は，ムスカリン受容体アンタゴニストが０．１３重量％，β２−刺激剤が０．０３重量％，コルチゾール誘導体が１．８５重量％，担体が９２．７０重量%及び細粒が５．２８重量％であった。
【０１０５】
［比較例６］
攪拌を行わない以外は参考例６と同様にして吸入用パウダーを調整した。
【０１０６】
細粒の粒径（Ｄ５０）は，いずれの組成のものも５μｍ以下であり，担体の粒径（Ｄ５０）は，いずれの組成のものも６０μｍであった。ムスカリン受容体アンタゴニストである臭化チオトロピウム（又は臭化チオトロピウム水和物）は，ＡＡＲＴＩ社製のものであり，粒径（Ｄ５０）は２．３μｍであった。β２−刺激剤（フマル酸ホルモテロールはテバＡＰＩ社製のものであり，粒径（Ｄ５０）が５μｍ以下であった。コルチゾール誘導体（プロピオン酸フルチカゾン（ＦＰ））は，シプラ社製のものであり，粒径（Ｄ５０）が２．２μｍであった。
【０１０７】
混合均一性の確認実験
参考例６における混合均一性を以下のようにして行った。ＨＰＬＣ（液体高速クロマトグラフィー）として，島津製作所製Ｐｒｏｍｉｎｅｎｃｅ（登録商標）を用いた。検出波長は，２３５ｎｍ，流速は０．８ｍＬ/ｍｉｎとし，移動相としてＣＨ３ＣＮ:Ｈ２Ｏ = ７:１のものを用い，内部標準としてトランス−スチルベン（ｔｒａｎｓ-ｓｔｉｌｂｅｎｅ）１０マイクロｇ/ｍｌを用いた。サンプリング溶液は，メタノール：水：ＣＨ３ＣＮ:Ｈ２Ｏ=１０:７:３のものを用いた。カラムとして，東ソー社製ＴＳＫｇｅｌ ＯＤＳ-８０Ｔｓ直径４．６ｍｍ長さ１５０ｍｍのものを用いた。
【０１０８】
参考例６における混合均一性（％ＲＳＤ：相対標準偏差）を表７に示す。
【０１０９】
［表７］
ＦＰ          ＦＦ        ＴＢ
乳糖：              ２．４      ２．９      ２．６
マンニトール：      １．５      １．２      ２．１
エリスリトール：    ２．２      ２．８      １．９
トレハロース：      ２．５      ２．９      ２．８
【０１１０】
比較例６における混合均一性（％ＲＳＤ：相対標準偏差）を表８に示す。
【０１１１】
［表８］
ＦＰ          ＦＦ        ＴＢ
乳糖：              ７．３      ９．４      ８．３
マンニトール：      ４．６      ３．５      ８．１
エリスリトール：    ６．７      ９．２      ５．７
トレハロース：      ７．０      ８．５      ８．１
【０１１２】
表１及び表２を比べると，いずれの組成の担体及び細粒を用いた場合であっても攪拌により混合均一性が著しく高まること（すなわち％ＲＤＳの値が小さくなること）がわかる。これは，本発明の工程を採用することで混合均一性が著しく高まることを示している。
【０１１３】
分散性の確認実験（カスケードインパクション解析）
カスケードインパクターとしてティシュエンヴァイラメンタル（Tisch Environmental）社製シリーズ２９０  マープルパーソナルカスケードインパクターを用いた。流量は，２ｌ／分であり，サンプル量はブリスター換算で１０回分とし，定量分析には，先に説明したＨＰＬＣを用いた。
【０１１４】
参考例６における分散性を表９に示す。
【０１１５】
［表９］
ＦＰ          ＦＦ        ＴＢ
乳糖：            １６．８    １９．１    １５．２
マンニトール：    １８．７    １３．９    １３．１
エリスリトール：  １１．６      ９．２    １０．０
トレハロース：    １５．８    １７．６    １４．１
【０１１６】
［参考例７］
担体(乳糖，Ｄ−マンニトール，エリスリトール又はトレハロース)及びβ２−刺激剤（フマル酸ホルモテロール）を混合容器内に添加した。その後，容器内に添加した紛体容積の半分程度の容積分のビーズを容器内に添加した。ビーズの直径は３ｍｍであった。混合容器を１分間振盪した。ターブラー混合機を用いて４６ｒｐｍの回転速度にて５分間混合を行った。ムスカリン受容体アンタゴニスト（臭化チオトロピウム及び臭化チオトロピウム水和物のいずれか又は両方）を混合容器内に添加した。混合容器を１分間振盪した。ターブラー混合機を用いて４６ｒｐｍの回転速度にて５分間混合を行った。細粒(乳糖，Ｄ−マンニトール，エリスリトール又はトレハロース)及びホスホジエステラーゼ−４阻害剤（ロフルミスラスト）を混合容器内に添加した。その後，混合容器を１分間振盪した。ターブラー混合機を用いて４６ｒｐｍの回転速度にて３０分混合を行った。その後,ふるい（目開き２５０μｍ）を用いて篩過した。このようにして乾燥粉末組成物を得た。実施例１における成分の重量比は，ロフルミスラストが０．７４重量％，β２−刺激剤（フマル酸ホルモテロール）が０．０３重量％，ムスカリン受容体アンタゴニストが０．１３重量％，担体が９２．７０重量%及び細粒が６．４重量％であった。
【０１１７】
［比較例７］
攪拌を行わない以外は参考例７と同様にして吸入用パウダーを調整した。
【０１１８】
細粒の粒径（Ｄ５０）は，いずれの組成のものも５μｍ以下であり，担体の粒径（Ｄ５０）は，いずれの組成のものも６０μｍであった。ロフルミスラストは，ＡＡＲＴＩ社製のものであり，粒径（Ｄ５０）は５μｍ以下であった。β２−刺激剤（フマル酸ホルモテロールはテバＡＰＩ社製のものであり，粒径（Ｄ５０）が５μｍ以下であった。ムスカリン受容体アンタゴニスト（臭化チオトロピウム又は臭化チオトロピウム水和物（ＴＢ））は，ＡＡＲＴＩ社製のものであり，粒径（Ｄ５０）が２．３μｍであった。
【０１１９】
混合均一性の確認実験
参考例７における混合均一性を以下のようにして行った。ＨＰＬＣ（液体高速クロマトグラフィー）として，島津製作所製Ｐｒｏｍｉｎｅｎｃｅ（登録商標）を用いた。検出波長は，２２８ｎｍ，流速は０．８ｍＬ/ｍｉｎとし，移動相としてＣＨ３ＣＮ:Ｈ２Ｏ = ７:１のものを用い，内部標準としてトランス−スチルベン（ｔｒａｎｓ-ｓｔｉｌｂｅｎｅ）１０マイクロｇ/ｍｌを用いた。サンプリング溶液は，メタノール：水：ＣＨ３ＣＮ:Ｈ２Ｏ=１０:７:３のものを用いた。カラムとして，東ソー社製ＴＳＫｇｅｌ ＯＤＳ-８０Ｔｓ直径４．６ｍｍ長さ１５０ｍｍのものを用いた。
【０１２０】
参考例７における混合均一性（％ＲＳＤ：相対標準偏差）を表１０に示す。
【０１２１】
［表１０］                      ＦＦ          ＴＢ      ＰＤＥ
乳糖：              ２．７      ２．４      ２．５
マンニトール：      １．５      １．９      ２．１
エリスリトール：    ２．６      ２．７      ２．０
トレハロース：      ２．６      ２．５      ２．４
【０１２２】
比較例７における混合均一性（％ＲＳＤ：相対標準偏差）を表１１に示す。
【０１２３】
［表１１］
ＦＦ          ＴＢ      ＰＤＥ
乳糖：              ８．５      ７．３      ８．３
マンニトール：      ４．５      ５．５      ７．３
エリスリトール：    ８．３      ８．１      ６．４
トレハロース：      ８．５      ７．６      ７．３
【０１２４】
表１及び表２を比べると，いずれの組成の担体及び細粒を用いた場合であっても攪拌により混合均一性が著しく高まること（すなわち％ＲＤＳの値が小さくなること）がわかる。これは，本発明の工程を採用することで混合均一性が著しく高まることを示している。
【０１２５】
分散性の確認実験（カスケードインパクション解析）
カスケードインパクターとしてティシュエンヴァイラメンタル（Tisch Environmental）社製シリーズ２９０  マープルパーソナルカスケードインパクターを用いた。流量は，２ｌ／分であり，サンプル量はブリスター換算で１０回分とし，定量分析には，先に説明したＨＰＬＣを用いた。
【０１２６】
参考例７における分散性を表１２に示す。
【０１２７】
［表１２］
ＦＦ          ＴＢ      ＰＤＥ
乳糖：            １７．０    １５．６    １４．０
マンニトール：    １２．５    ２０．９    １２．７
エリスリトール：    ８．５    １０．２      ８．８
トレハロース：    １７．２    １５．０    １２．８
【０１２８】
担体及び細粒の径の大きさや重量比，ビーズの大きさ，ビーズの種類，混合時間，混合速度，振盪時間，ふるいの大きさなどの条件を様々に変化させて実験を行ったところ，常識的に考えて適切と思われる範囲では，上記した実施例と同様に良好なパウダーを得ることができた。
【産業上の利用可能性】
【０１２９】
本発明は製薬産業において利用されうる。
【図１】
2014104068.tif 000003
【図２】
2014104068.tif 000004